(57)【特許請求の範囲】
【請求項１】
他の警報器が異常を検知すると連動警報を行う警報器であって、
異常を検知したことを示す連動制御信号、異常を検知しなくなったことを示す復旧信号、及び連動警報を停止すべきことを示す警報停止信号を受信可能な受信手段と、
前記連動制御信号、復旧信号、及び警報停止信号を送信可能な送信手段と、
警報を出力する警報手段と、
前記警報手段による警報の出力及び停止を制御する制御手段と、
前記連動警報を停止させるための警報停止スイッチと、
前記警報停止スイッチが操作されたときに前記連動警報を停止するか否かを設定する第１停止条件切替手段と、
前記警報停止信号を受信したときに前記連動警報を停止するか否かを設定する第２停止条件切替手段と、
環境の物理的変化を検出して異常を検知する異常検知手段と、
を備え、
前記制御手段は、前記異常検知手段が異常を検知すると前記警報手段に異常元警報を出力させると共に、前記連動制御信号を送信し、
前記連動制御信号を受信すると前記警報手段に連動警報を出力させ、
前記警報停止スイッチが操作されると、前記警報停止信号を送信し、
前記第１停止条件切替手段が、前記警報停止スイッチが操作されたときに前記連動警報を停止する設定の場合は、自身の警報停止スイッチが操作されたときに前記連動警報及び異常元警報を停止させ、
前記第１停止条件切替手段が、前記警報停止スイッチが操作されたときに前記連動警報を停止しない設定の場合は、自身の警報停止スイッチが操作されても前記連動警報及び異常元警報をそのままで停止させず、
前記第２停止条件切替手段が、前記警報停止信号を受信したときに前記連動警報を停止する設定の場合は、前記警報停止信号を受信したときに前記連動警報を停止させ、
前記第２停止条件切替手段が、前記警報停止信号を受信したときに前記連動警報を停止しない設定の場合は、前記警報停止信号を受信しても前記連動警報をそのままで停止させない
ことを特徴とする警報器。
【請求項２】
前記制御手段は、前記異常検知手段が異常を検知しなくなると前記異常元警報を停止させ、前記復旧信号を送信する
ことを特徴とする請求項１記載の警報器。
【請求項３】
請求項１又は請求項２記載の警報器を複数備えたことを特徴とする警報システム。
【発明の詳細な説明】
【技術分野】
【０００１】
本発明は、他の検知装置が異常を検知すると連動警報を行う警報器及びこの警報器を備えた警報システムに関する。
【背景技術】
【０００２】
従来の火災警報システムとして、ある火災警報器が火災を検知したときに連動制御信号を含む無線信号を送信し、この無線信号を受信した他の火災警報器が連動警報を出力するものがある。このような警報器として、「システム全体が警報出力している際に、火災発生元のワイヤレス住宅用火災警報器１で警報停止釦１３Ｃが操作されると、その警報器１の警報が停止するほか、その他の警報器１にリセット信号が送信されてシステム全ての警報が所定時間の間停止する。一方、火災発生元以外のワイヤレス住宅用火災警報器１で警報停止釦１３Ｃが操作されると、その警報器１の警報が停止する他、その他の警報器１にリセット信号を送信するが、火災発生元の警報器１はリセット信号を無視して警報出力を継続させ、火災発生元以外の警報器１はリセット信号を受けて警報出力を所定時間の間停止させる。」という技術が提案されている（例えば、特許文献１参照）。
【先行技術文献】
【特許文献】
【０００３】
【特許文献１】特開２００８−４０３３号公報（第６頁、図５）
【発明の概要】
【発明が解決しようとする課題】
【０００４】
特許文献１によれば、連動警報出力中において、警報器が備える警報停止ボタンが操作されたとき、あるいは、他の警報器の警報停止ボタンが操作されたときに送信されるリセット信号（警報停止信号）を受信したときに、連動警報を停止するようにしている。
【０００５】
しかしながら、警報器の設置環境によっては、連動警報の停止条件を変更したい場合がある。例えば、老人や子供などの災害弱者が生活する領域に設置されている警報器を想定すると、災害弱者が警報器の警報停止ボタンを操作して連動警報を停止させてしまうと、救助支援者による避難救助作業に遅れが生じる可能性がある。このようなことから、警報器の設置環境等に応じて、連動警報の停止条件をユーザが設定することのできる警報器及び警報システムが望まれていた。
【０００６】
本発明は上記のような課題を解決するためになされたものであり、連動警報の停止条件を切り替えることのできる警報器及び警報システムを提供するものである。
【課題を解決するための手段】
【０００７】
本発明に係る警報器は、他の警報器が異常を検知すると連動警報を行う警報器であって、異常を検知したことを示す連動制御信号、異常を検知しなくなったことを示す復旧信号、及び連動警報を停止すべきことを示す警報停止信号を受信可能な受信手段と、前記連動制御信号、復旧信号、及び警報停止信号を送信可能な送信手段と、警報を出力する警報手段と、前記警報手段による警報の出力及び停止を制御する制御手段と、前記連動警報を停止させるための警報停止スイッチと、前記警報停止スイッチが操作されたときに前記連動警報を停止するか否かを設定する第１停止条件切替手段と、前記警報停止信号を受信したときに前記連動警報を停止するか否かを設定する第２停止条件切替手段と、環境の物理的変化を検出して異常を検知する異常検知手段と、を備え、前記制御手段は、前記異常検知手段が異常を検知すると前記警報手段に異常元警報を出力させると共に、前記連動制御信号を送信し、前記連動制御信号を受信すると前記警報手段に連動警報を出力させ、前記警報停止スイッチが操作されると、前記警報停止信号を送信し、前記第１停止条件切替手段が、前記警報停止スイッチが操作されたときに前記連動警報を停止する設定の場合は、自身の警報停止スイッチが操作されたときに前記連動警報及び異常元警報を停止させ、前記第１停止条件切替手段が、前記警報停止スイッチが操作されたときに前記連動警報を停止しない設定の場合は、自身の警報停止スイッチが操作されても前記連動警報及び異常元警報をそのままで停止させず、前記第２停止条件切替手段が、前記警報停止信号を受信したときに前記連動警報を停止する設定の場合は、前記警報停止信号を受信したときに前記連動警報を停止させ、前記第２停止条件切替手段が、前記警報停止信号を受信したときに前記連動警報を停止しない設定の場合は、前記警報停止信号を受信しても前記連動警報をそのままで停止させないものである。
【０００９】
本発明に係る警報器において、前記制御手段は、前記異常検知手段が異常を検知しなくなると前記異常元警報を停止させ、前記復旧信号を送信するものである。
【００１１】
本発明に係る警報システムは、上記警報器を複数備えたものである。
【発明の効果】
【００１２】
本発明に係る警報器は、警報停止スイッチが操作されたときに連動警報を停止するか否かを設定する第１停止条件切替手段を備え、第１停止条件切替手段の設定に基づいて連動警報を停止する。このため、警報停止スイッチが操作されたときに連動警報を停止するか否かをユーザが設定できるので、警報器の設置環境等に応じた連動警報の停止動作が実現できる。
【００１３】
本発明に係る警報器は、警報停止信号を受信したときに連動警報を停止するか否かを設定する第２停止条件切替手段を備え、第１停止条件切替手段及び第２停止条件切替手段の設定に基づいて前記連動警報を停止する。警報停止スイッチが操作されたときに連動警報を停止するか否か、警報停止信号を受信したときに連動警報を停止するか否かをユーザが設定できるので、警報器の設置環境等に応じた連動警報停止動作が実現できる。
【００１４】
本発明に係る警報器は、環境の物理的変化を検出して異常を検知する異常検知手段を備え、警報手段は、異常検知手段が異常を検知したときに異常元警報を出力する。このため、連動警報に加え、自身で異常検知と異常元警報の出力が行える。
本発明に係る警報器は、第１停止条件切替手段の設定にかかわらず、警報停止スイッチが操作されたときには異常元警報を停止する。このため、自身が異常を検知して異常元警報を出力しているときには第１停止条件切替手段の設定にかかわらず異常元警報を停止できる一方で、警報停止スイッチが操作されたときに連動警報を停止するか否かをユーザが設定できる。
【００１５】
本発明に係る警報システムのうちの一の警報器は、連動制御信号を受信すると外部機器に対して移報信号を出力する移報出力手段を備えた。このため、警報システムの外部機器に対し、当該警報システムにおいて異常が検知されたことを伝えることができる。
【図面の簡単な説明】
【００１６】
【図１】実施の形態に係る警報システムの構成図である。
【図２】実施の形態に係る火災警報器の機能ブロック図である。
【図３】実施の形態に係る警報器の記憶素子に記憶される情報の主要構成を示す図である。
【図４】実施の形態に係る移報アダプタの機能ブロック図である。
【図５】実施の形態に係るフラッシュライトの機能ブロック図である。
【図６】実施の形態に係る連動警報の停止条件を説明する図である。
【図７】実施の形態に係る火災警報器の警報出力／警報停止動作を説明するフローチャートである。
【図８】実施の形態に係る火災警報器の警報出力／警報停止動作を説明するフローチャートである。
【発明を実施するための形態】
【００１７】
実施の形態．
以下、本実施の形態では、電池で駆動されて無線通信を行う複数の火災警報器と、増設ブザーなどの外部機器に移報信号を送信する移報アダプタと、フラッシュライトとを備えた警報システムに本発明を適用した場合を例に説明する。
【００１８】
（警報システムの構成）
図１は、本発明の実施の形態に係る警報システム１００の構成を示す図である。警報システム１００は、複数の火災警報器１０ａ〜火災警報器１０ｃと、移報アダプタ５０と、フラッシュライト８０とで構成されている。各火災警報器１０は、それぞれ火災を検知する機能を有するとともに独自に警報する機能を有している。警報システム１００は、連動して火災警報するシステムであり、火災警報器１０ａ〜火災警報器１０ｃが火災を検知すると、火災を検知した火災警報器が火元警報を出力するとともに、他の火災警報器、移報アダプタ５０、及びフラッシュライト８０も連動警報を行い、さらに、移報アダプタ５０によって外部機器２００に移報が出力されるシステムである。本実施の形態において、火災警報器１０ａ〜火災警報器１０ｃ、移報アダプタ５０、及びフラッシュライト８０は、本発明の警報器に相当する。
なお、火災警報器１０ａ〜火災警報器１０ｃ、移報アダプタ５０、及びフラッシュライト８０は、無線通信により互いに通信可能であって、１つの同じグループに属しているものとする。
【００１９】
本実施の形態では、親機として機能する火災警報器を「親機１０ａ」と、子機として機能する火災警報器を「子機１０ｂ」、「子機１０ｃ」と区別して称する場合がある。以降の説明において、親機・子機に共通する事項について説明する場合には「火災警報器１０」と称して説明する。
ここで、各火災警報器における親機の設定は、例えば、電源投入後に図示しない登録ボタンを押すことで完了する。一方、各火災警報器における子機の設定は、例えば、親機１０ａの図示しない登録ボタンを押して登録モードにした状態で、子機の電源投入後に図示しない登録ボタンを押すことで完了する。
また、本実施の形態の警報システム１００では、移報アダプタ５０及びフラッシュライト８０も、親機１０ａの子機として機能する。
【００２０】
外部機器２００は、移報アダプタ５０を介して警報システム１００に接続されている。外部機器２００としては、例えば、増設ブザーやフラッシュライトなどの警報装置を設けてもよいし、シャッターや防火戸などの防排煙機器、インターホンシステムの住宅情報盤などを設けることもできる。
【００２１】
（火災警報器の構成）
図２は、本発明の実施の形態に係る火災警報器の主要構成を示す機能ブロック図である。火災警報器１０は、制御回路１、電池２、電源回路３、電池電圧検出回路４、送受信回路５、アンテナ６、火災検出回路７、警報音制御回路８、表示灯回路９、警報停止スイッチ１２、及び連動警報の停止条件設定スイッチ１３を備える。
【００２２】
電池２は、電源回路３に直流電源を供給する。電源回路３は、電池２の電圧を所定電圧に制御し、制御回路１、送受信回路５、火災検出回路７、警報音制御回路８、表示灯回路９に供給する。
【００２３】
電池電圧検出回路４は、電源回路３に印加される電池２の電圧を検出し、検出した電圧に応じた電池電圧検出信号を制御回路１に出力する。電池電圧検出回路４による電池電圧検出信号の値が、電池残量が低下したこと、又は、電池切れの閾値を超えたこと、を示すと、制御回路１によって警報音制御回路８と表示灯回路９を駆動させるとともに、電池切れの状態情報を含む状態信号を送受信回路５により出力させる。
【００２４】
火災検出回路７は、環境の物理的変化を検出して異常を検知する異常検知手段の一例であり、火災現象に基づく煙や熱等の物理的変化を検出して検出内容に応じた信号を制御回路１に出力する。本実施の形態では、火災検出回路７は、いわゆる熱式の火災検出回路である場合を例に説明する。火災検出回路７は、固定抵抗（図示せず）とサーミスタ（図示せず）が直列に接続された温度センサで構成されている。固定抵抗とサーミスタとの間の中間電位が、火災検出回路７の出力端子であり、この出力端子を介して温度検出信号を制御回路１に出力する。サーミスタは、環境温度に応じてその抵抗値が変動する温度特性を有している。補償用の固定抵抗によりサーミスタの温度特性がリニア化されるため、火災検出回路７の出力端子には環境温度に応じた検出電圧（温度情報）が入力されることとなる。
【００２５】
警報音制御回路８は、ブザー・スピーカ等による音声等の鳴動の動作を制御する回路である。表示灯回路９は、発光ダイオード等の表示灯の点灯動作を制御する回路である。本実施の形態では、警報音制御回路８と表示灯回路９が、本発明の警報手段に相当する。
【００２６】
送受信回路５は、無線信号を送受信するためのアンテナ６に接続されている。送受信回路５は、アンテナ６から入力された無線信号を処理し、自己宛の信号の場合には受信処理を行う。それ以外の信号の場合には受信処理を行わない。受信処理した信号は、制御回路１へ出力する。また、送受信回路５は、制御回路１に制御されて、各種信号の送信処理を行う。
【００２７】
ここで、送受信回路５により送信される信号を説明する。送受信回路５により送信される主要な信号としては、状態信号、連動制御信号、復旧信号、警報停止信号がある。
状態信号は、火災監視（定常状態）中に、親機と子機との間で定期的（例えば１５時間〜２０時間周期）に送受信される信号であり、各機器が正常に動作しているかどうかを確認するための信号である。状態信号は、送信元である自己のアドレス、相手先のアドレス、及び、例えば火災検出回路７のセンサ状態（劣化、汚損等）や、機能異常などの機器の状態を示す任意の情報を含んでいる。
【００２８】
連動制御信号は、火災検出回路７により火災を検知した場合に、警報システム１００内の他の火災警報器１０、移報アダプタ５０、及びフラッシュライト８０などの他の機器に対して送信する信号である。この連動制御信号は、他の機器に火災の検知を伝え、他の機器に所定の連動警報を出力させるための信号である。連動制御信号は、送信元である自己のアドレス、相手先のアドレス、及び火災を検知した旨の情報を含んでいる。
復旧信号は、火災検出回路７により火災を検知した後、火災を検知しなくなったときに、警報システム１００内の他の機器に対して送信する信号である。この復旧信号は、他の機器に火災からの復旧を知らせ、連動警報を停止させるための信号である。復旧信号は、送信元である自己のアドレス、相手先のアドレス、及び復旧した旨の情報を含んでいる。
警報停止信号は、警報停止スイッチ１２がオンされたときに、警報システム１００内の他の機器に対して送信する信号である。警報停止信号は、送信元である自己のアドレス、相手先のアドレス、及び警報停止スイッチ１２がオンしたことを示す情報を含んでいる。
【００２９】
警報停止スイッチ１２は、火災警報器１０の筐体に設けられた警報停止ボタン（図示せず）への押下操作を受けて、オンするスイッチである。ユーザにより警報停止ボタンが押下されて警報停止スイッチ１２がオンすると、火災警報器１０は所定の警報停止動作（詳細は後述する）を行う。
【００３０】
連動警報の停止条件設定スイッチ１３は、火災警報器１０の筐体に設けられた例えばスライドスイッチやロータリスイッチへの入力を受けて、火災に基づく連動警報の出力を停止する条件を設定可能なスイッチである。ユーザは、火災警報器１０の筐体に設けられた所定のスイッチ操作により、連動警報の停止条件を４パターン（後述する）のいずれかに切り替えることができる。なお、筐体に設けられた所定のスイッチ操作のほか、通信により連動警報の停止条件設定スイッチ１３への設定を行うようにしてもよく、ユーザによる設定が可能であればよい。なお、本実施の形態に係る連動警報の停止条件設定スイッチ１３は、本発明の第１停止条件切替手段及び第２停止条件切替手段に相当する。
【００３１】
制御回路１は、火災検出回路７によって出力された信号に基づいて、火災発生の有無を判断する。そして、火災が発生していると判断した場合に警報音制御回路８及び表示灯回路９を制御して音声及び表示灯によって火元警報を行うほか、警報の出力／停止に関する制御を行う。また、制御回路１は、送受信回路５が受信した信号に基づいて必要な処理を行うとともに、必要に応じて送受信回路５を制御して他の火災警報器への状態信号や連動制御信号などの信号の送信を行う。また、制御回路１は、所定のタイミングで、例えば電池２の残量点検や無線通信の機能点検などの各種点検を行う。なお、本発明の火災検知手段は、本実施の形態では火災検出回路７及び制御回路１に相当する。
【００３２】
記憶素子１１は、ＥＥＰＲＯＭなどの不揮発性メモリであり、制御回路１が実行するプログラムや、各火災警報器１０に個別に設定されたアドレス、及び各火災警報器１０が属するグループに関する情報などの各種情報を格納する。これらのほか、記憶素子１１は、図３に示すデータを格納する。
【００３３】
図３は、記憶素子１１に記憶される情報の主要構成を示す図である。
連動警報の停止条件１４は、他の火災警報器が検出した火災に基づく連動警報を停止する条件（詳細は後述する）を記憶する。連動警報の停止条件１４は、連動警報の停止条件設定スイッチ１３によりユーザが任意に設定可能である。
火元アドレス記憶部１５は、火元に設置されている火災警報器、すなわち、火災を検知した火災警報器１０のアドレスを格納する。自己が火災を検知した場合には自己アドレスを格納し、他の火災警報器１０が火災を検知した場合にはそのアドレスを火元アドレスとして格納する。なお、火災を検知した火災警報器１０が、火災を検知しなくなった場合には、その火災警報器１０のアドレスを火元アドレス記憶部１５から削除する。
警報停止アドレス記憶部１６には、連動警報の停止条件設定スイッチ１３により設定された連動警報の停止条件を満たした場合に、自己アドレスあるいは警報システム１００内の他の機器のアドレスが記憶されうる。言い換えると、警報停止アドレス記憶部１６にいずれかのアドレスが記憶されているときとは、連動警報の停止条件が成立している場合である。
【００３４】
（移報アダプタの構成）
図４は、本発明の実施の形態に係る移報アダプタ５０の主要構成を示す機能ブロック図である。移報アダプタ５０は、制御回路５１、電池５２、電源回路５３、電池電圧検出回路５４、送受信回路５５、アンテナ５６、警報音制御回路５８、表示灯回路５９、警報停止スイッチ６２、連動警報の停止条件設定スイッチ６３、移報出力部７０を備える。
この移報アダプタ５０は、火災警報器１０と共通する構成を備えており、共通する構成については説明を省略する。すなわち、制御回路５１、電池５２、電源回路５３、電池電圧検出回路５４、送受信回路５５、アンテナ５６、警報音制御回路５８、表示灯回路５９、警報停止スイッチ６２、連動警報の停止条件設定スイッチ６３は、火災警報器１０の制御回路１、電池２、電源回路３、電池電圧検出回路４、送受信回路５、アンテナ６、警報音制御回路８、表示灯回路９、警報停止スイッチ１２、及び連動警報の停止条件設定スイッチ１３にそれぞれ相当する機能を有するものである。
【００３５】
移報アダプタ５０は、火災検出回路を備えておらず、火災検出は行わない。
一方、移報アダプタ５０は、移報出力部７０を備えている。移報出力部７０は、火災警報器１０により送信された連動制御信号を受信すると、移報出力部７０により外部機器２００に移報信号を送信する。移報出力部７０と外部機器２００との通信は、有線通信あるいは無線通信のいずれであってもよい。
【００３６】
（フラッシュライトの構成）
図５は、本発明の実施の形態に係るフラッシュライト８０の主要構成を示す機能ブロック図である。フラッシュライト８０は、制御回路８１、電池８２、電源回路８３、電池電圧検出回路８４、送受信回路８５、アンテナ８６、表示灯回路８９、警報停止スイッチ９２、連動警報の停止条件設定スイッチ９３を備える。
このフラッシュライト８０は、火災警報器１０と共通する構成を備えており、共通する構成については説明を省略する。すなわち、制御回路８１、電池８２、電源回路８３、電池電圧検出回路８４、送受信回路８５、アンテナ８６、表示灯回路８９、警報停止スイッチ９２、連動警報の停止条件設定スイッチ９３は、火災警報器１０の制御回路１、電池２、電源回路３、電池電圧検出回路４、送受信回路５、アンテナ６、表示灯回路９、警報停止スイッチ１２、及び連動警報の停止条件設定スイッチ１３にそれぞれ相当する機能を有するものである。
【００３７】
フラッシュライト８０は、火災検出回路を備えておらず、火災検出は行わない。また、本実施の形態では、警報音制御回路を備えておらず音声による警報も出力しないが、警報音制御回路を備えるようにしてもよい。
一方、フラッシュライト８０は、火災警報器１０が検知した火災に基づく連動制御信号を受信すると、表示灯回路８９によって表示による連動警報を行う。
【００３８】
以上のように構成された警報システム１００において、ある火災警報器１０が火災を検知すると、火元警報を出力するとともに警報システム１００内の他の機器に対して連動制御信号を送信し、この連動制御信号を受信した他の機器は連動警報を出力する。
【００３９】
（警報システムの動作概要）
次に、警報システム１００の火災検知時の動作概要を説明する。
例えば、図１において子機１０ｂが設置された部屋で火災が発生すると、子機１０ｂは、火災検出回路７により火災を検知し、制御回路１が警報音制御回路８及び表示灯回路９を制御して、音声や表示灯によって火元警報を行う。さらに子機１０ｂは、連動制御信号を、親機１０ａ、子機１０ｃ、移報アダプタ５０、フラッシュライト８０に送信する。
子機１０ｂにより送信された連動制御信号を受信した親機１０ａ、子機１０ｃは、制御回路１が警報音制御回路８及び表示灯回路９を制御して、音声や表示灯によって連動警報を出力する。
子機１０ｂにより送信された連動制御信号を受信した移報アダプタ５０は、音声や表示灯によって連動警報を出力するとともに、外部機器２００に対して移報信号を出力する。
子機１０ｂにより送信された連動制御信号を受信したフラッシュライト８０は、表示灯によって連動警報を出力する。
火災警報器１０による火元警報としては、例えば、「ピー、ヒュー、ヒュー、火事です、火事です」という音声警報を出力するとともに、表示灯を火元警報を示す所定の様態で点灯させることができる。
火災警報器１０による連動警報としては、例えば、「ピー、ヒュー、ヒュー、他の場所で火事です」という音声警報を出力するとともに、表示灯を連動警報を示す所定の様態で点灯させることができる。
【００４０】
また、子機１０ｂにより送信された連動制御信号を受信した親機１０ａは、他の子機１０ｃ、移報アダプタ５０、フラッシュライト８０に対して、連動制御信号を転送する。このようにすることで、他の機器が連動制御信号を受信する確率を高めることができる。例えば、他の子機が、火災発生元の子機から送信された連動制御信号を受信することができなかった場合でも、親機からの連動制御信号を受信して火災警報を連動出力することができるようになる。なお、「火元警報」及び「連動警報」を総称して「火災警報」と称する。
【００４１】
ここで、火災警報器１０、移報アダプタ５０、及びフラッシュライト８０の連動警報の停止条件について説明する。図６は、連動警報の停止条件を説明する図である。
図６に示すように、連動警報の停止条件としては、パターン１〜パターン４がある。
パターン１では、復旧信号を受信したとき、自身の警報停止スイッチ１２（６２、９２）が押下操作されたとき、警報停止信号を受信したとき、のいずれの場合にも連動警報を停止する。このパターン１は、初期状態として設定されている。
パターン２では、復旧信号を受信したとき、又は自身の警報停止スイッチ１２（６２、９２）が押下操作されたときに連動警報を停止するが、警報停止信号を受信したときには連動警報を停止しない。
パターン３では、復旧信号を受信したとき、又は警報停止信号を受信したときに連動警報を停止するが、自身の警報停止スイッチ１２（６２、９２）が押下操作されたときには連動警報を停止しない。
パターン４では、復旧信号を受信したときには連動警報を停止するが、自身の警報停止スイッチが押下されたとき、及び警報停止信号を受信したときには連動警報を停止しない。
いずれのパターンにおいても、復旧信号を受信したときに連動警報を停止する点は共通している。
【００４２】
この連動警報の停止条件のパターン１〜パターン４は、火災警報器１０、移報アダプタ５０、及びフラッシュライト８０の、連動警報の停止条件設定スイッチ１３、６３、９３によりいずれか選択される。すなわち、各機器の筐体に設けられた所定のスイッチをユーザが操作して、連動警報の停止条件を設定することができる。
【００４３】
（火災警報器の動作）
次に、火災警報器１０の詳細な動作を説明する。図７、図８は、実施の形態に係る火災警報器１０の動作例を説明するフローチャートである。
火災警報器１０は、火災検出回路７により火災を検知したか否か判断し（Ｓ１０１）、火災を検知した場合は（Ｓ１０１：Ｙｅｓ）、火元アドレス記憶部１５に自己アドレスを記憶して（Ｓ１０２）、連動制御信号を送信する（Ｓ１０３）。火災を検知しなかった場合は（Ｓ１０１：Ｎｏ）、ステップＳ１０４へ進む。
【００４４】
次に、火災を検知した状態から復旧したか否か判断し（Ｓ１０４）、復旧した場合には（Ｓ１０４：Ｙｅｓ）、火元アドレス記憶部１５から自己アドレスを消去して（Ｓ１０５）、復旧信号を送信する（Ｓ１０６）。復旧していない場合は（Ｓ１０４：Ｎｏ）、ステップＳ１０７へ進む。
【００４５】
次に、連動制御信号を受信したか否か判断し（Ｓ１０７）、連動制御信号を受信した場合には（Ｓ１０７：Ｙｅｓ）、火元アドレス記憶部１５に、火元アドレスとして連動制御信号の送信元のアドレスを記憶する（Ｓ１０８）。連動制御信号を受信していない場合は（Ｓ１０７：Ｎｏ）、ステップＳ１０９へ進む。
【００４６】
次に、復旧信号を受信したか否か判断し（Ｓ１０９）、復旧信号を受信した場合には（Ｓ１０９：Ｙｅｓ）、火元アドレス記憶部１５から、復旧信号の送信元のアドレスを消去する（Ｓ１１０）。復旧信号を受信していない場合は（Ｓ１０９：Ｎｏ）、ステップＳ１１１へ進む。
【００４７】
次に、警報停止信号を受信したか否か判断し（Ｓ１１１）、警報停止信号を受信した場合には（Ｓ１１１：Ｙｅｓ）、連動警報の停止条件設定スイッチ１３により設定された連動警報の停止条件を確認し、警報停止信号により連動警報を停止する設定となっているか否か判断する（Ｓ１１２）。警報停止信号により連動警報を停止するのは、本実施の形態では、パターン１又はパターン３に設定されている場合である。警報停止信号によって連動警報を停止する設定がなされていれば（Ｓ１１２：Ｙｅｓ）、警報停止アドレス記憶部１６に、警報停止信号の送信元のアドレスを記憶する（Ｓ１１３）。警報停止信号によって連動警報を停止する設定がなされていない場合（Ｓ１１２：Ｎｏ）、又は警報停止信号を受信していない場合は（Ｓ１１１：Ｎｏ）、ステップＳ１１４へ進む。
【００４８】
次に、警報停止スイッチ１２がオンしているか否か判断し（Ｓ１１４）、警報停止スイッチ１２がオンしていれば（Ｓ１１４：Ｙｅｓ）、火元アドレス記憶部１５にアドレスが格納されているか確認し（Ｓ１１５）、アドレスが記憶されていれば（Ｓ１１５：Ｙｅｓ）、スイッチ操作を有効として、警報停止信号を送信する（Ｓ１１６）。続けて、連動警報の停止条件設定スイッチ１３により設定された連動警報の停止条件を確認し、警報停止スイッチ１２オンにより連動警報を停止する設定となっているか否か判断する（Ｓ１１７）。警報停止スイッチ１２のオンにより連動警報を停止するのは、本実施の形態では、パターン１又はパターン２に設定されている場合である。警報停止スイッチ１２オンにより連動警報を停止する設定がなされていれば（Ｓ１１７：Ｙｅｓ）、警報停止アドレス記憶部１６に自己アドレスを記憶する（Ｓ１１８）。なお、警報停止スイッチ１２がオンしていない場合（Ｓ１１４：Ｎｏ）、火元アドレス記憶部１５にアドレスが記憶されていない場合（Ｓ１１５：Ｎｏ）、警報停止スイッチ１２のオンにより連動警報を停止する設定がなされていない場合は（Ｓ１１７：Ｎｏ）、図８のステップＳ１１９へ進む。
【００４９】
図８の説明を続ける。
次に、火元アドレス記憶部１５に、自己アドレスが記憶されているか確認し（Ｓ１１９）、自己アドレスが記憶されていれば（Ｓ１１９：Ｙｅｓ）、警報停止アドレス記憶部１６に自己アドレスが記憶されているか確認する（Ｓ１２０）。
火元アドレス記憶部１５に自己アドレスが記憶されている場合であって（Ｓ１１９：Ｙｅｓ）、警報停止アドレス記憶部１６に自己アドレスが記憶されていない場合（Ｓ１２０：Ｎｏ）、すなわち、自己が火災を検知していて自己の警報停止スイッチ１２がオンしていない場合には、火元警報を出力する（Ｓ１２１）。
火元アドレス記憶部１５に自己アドレスが記憶されている場合であって（Ｓ１１９：Ｙｅｓ）、警報停止アドレス記憶部１６に自己アドレスが記憶されている場合（Ｓ１２０：Ｙｅｓ）、すなわち、自己が火災を検知していて自己の警報停止スイッチ１２がオンしている場合には、火元警報を停止する（Ｓ１２２）。
この例では、警報停止スイッチオンにより連動警報を停止するか否かの設定が、火元警報の停止条件と連動している。すなわち、警報停止スイッチオンにより連動警報を停止する設定がなされている場合には（パターン１、２）、警報停止スイッチオンにより火元警報を停止するが、パターン３、４の場合には警報停止スイッチがオンしても火元警報を停止しない。
【００５０】
火元アドレス記憶部１５に自己アドレスが記憶されていない場合は（Ｓ１１９：Ｎｏ）、火元アドレス記憶部１５に他の火災警報器１０のアドレスが記憶されているか否か判断し（Ｓ１２３）、火元アドレス記憶部１５に他の火災警報器１０のアドレスが記憶されていれば（Ｓ１２３：Ｙｅｓ）、警報停止アドレス記憶部１６にいずれかの機器のアドレスが記憶されているか確認する（Ｓ１２４）。
【００５１】
火元アドレス記憶部１５に他の火災警報器１０のアドレスが記憶されている場合であって（Ｓ１２３：Ｙｅｓ）、警報停止アドレス記憶部１６にアドレスが記憶されていない場合（Ｓ１２４：Ｎｏ）、すなわち、警報システム１００内のいずれかの火災警報器１０が火災を検知していて、かつ連動警報の停止条件が成立していない場合には、連動警報を出力する（Ｓ１２５）。
火元アドレス記憶部１５に他の火災警報器１０のアドレスが記憶されている場合であって（Ｓ１２３：Ｙｅｓ）、警報停止アドレス記憶部１６にアドレスが記憶されている場合（Ｓ１２４：Ｙｅｓ）、すなわち、警報システム１００内のいずれかの火災警報器１０が火災を検知していて、かつ連動警報の停止条件が成立している場合には、連動警報を停止する（Ｓ１２６）。
火元アドレス記憶部１５に他の火災警報器１０のアドレスが記憶されていない場合（Ｓ１２３：Ｎｏ）、すなわち、警報システム１００内のいずれの火災警報器１０も火災を検知していない場合には、連動警報を停止する（Ｓ１２６）。
【００５２】
（移報アダプタ、フラッシュライトの動作）
移報アダプタ５０及びフラッシュライト８０は、前述した図７、図８と共通する動作を行うので、図７、図８を参照して相違点を中心に説明する。
移報アダプタ５０、フラッシュライト８０は、図７のステップＳ１０７以降の動作を行う。すなわち、移報アダプタ５０及びフラッシュライト８０は、火災の検知や復旧に関する動作は行わず、連動警報に関連する動作のみ行う。
移報アダプタ５０は、ステップＳ１２５において、連動警報を出力するとともに、外部機器２００に対して移報信号を出力する点に特徴を有する。
フラッシュライト８０は、ステップＳ１２５において、表示灯回路８９による連動警報のみを出力し、音声警報は出力しない。
【００５３】
以上のように構成された警報システム１００の運用例を説明する。
（運用例１：連動警報の停止条件としてパターン１を設定）
警報システム１００内の火災警報器１０等の各監視領域や警報領域が、例えば人の出入りが多い場合や災害弱者が生活していない場合などの通常のときには、連動警報の停止条件をパターン１に設定しておくことができる。このようにすることで、自己の警報停止スイッチが押下操作された場合、あるいは、他の機器の警報停止スイッチが押下されて警報停止信号を受信した場合に、連動警報を停止できる。
【００５４】
（運用例２：連動警報の停止条件としてパターン２を設定）
例えば、部屋数の多い建物の各部屋に火災警報器１０が設置されて警報システム１００が構築されている場合、各火災警報器１０の連動警報の停止条件をパターン２に設定しておく。このようにすることで、自己の警報停止スイッチが押下された場合には連動警報を停止するが、他の機器の警報停止スイッチが押下されて警報停止信号を受信した場合には、連動警報を停止しない。例えば、連動警報が一斉に出力されている状態で、ユーザが各部屋を回って火元や居住者を探す場面を想定する。この場合、ユーザが各部屋の火災警報器１０の警報停止スイッチを操作するとその火災警報器の連動警報は停止するが、他の火災警報器１０の連動警報は停止しない。したがって、火災警報器１０の連動警報が停止しているか否かによって、その火災警報器１０が設置された部屋が確認済みであるか否かを判断できる。
【００５５】
（運用例３：連動警報の停止条件としてパターン３、パターン４を設定）
例えば、老人や子供などの災害弱者が生活する建物に警報システム１００が構築されている場合、連動警報の停止条件をパターン３あるいはパターン４に設定しておく。この場合、自己の警報停止スイッチが押下された場合でも連動警報は停止しない。災害弱者が自己の警報停止スイッチを押下操作しても連動警報は停止しないので、災害弱者に避難行動を促すことができ、避難救助作業も容易となる。
【００５６】
（運用例４：連動警報の停止条件として複数パターンを組み合わせ）
例えば、フラッシュライト８０を屋外に設置し、その他の火災警報器１０等の機器を屋内に設置しているような警報システム１００を想定する。ここで、屋外のフラッシュライト８０はパターン１あるいはパターン２（警報停止スイッチオンで連動警報を停止する）が設定され、屋内の火災警報器１０にはパターン４（警報停止スイッチオン、警報停止信号受信で連動警報を停止しない）を設定しておく。このような警報システム１００において、屋内の火災警報器１０が火災を検知して一斉に連動警報（火災警報）が出力されているとすると、屋外にいるユーザがフラッシュライト８０の連動警報に気づいて警報停止ボタンを押下することで、フラッシュライト８０の連動警報を停止することができる。一方で、屋内の火災警報器１０等は連動警報を停止しないので、屋外に設置されているフラッシュライト８０の警報停止ボタンが押下された場合でも、屋内にいるユーザの避難行動を促すことができる。
また上記の例において、屋外のフラッシュライト８０はパターン３、４（警報停止スイッチオンで連動警報を停止しない）が設定されるようにすれば、屋外に設置されているフラッシュライト８０の警報停止ボタンが押下された場合でも、フラッシュライト８０が連動警報をし続けるので、屋外にいる人に当該建物に火災が発生していることを報知し続けることができる。
【００５７】
以上のように、本実施の形態によれば、警報停止スイッチが操作されたときに連動警報を停止するか否か、警報停止信号を受信したときに連動警報を停止するか否か、を設定可能な連動警報の停止条件設定スイッチ１３を設けた。そして、設定された連動警報の停止条件に基づいて連動警報を停止するようにした。このため、ユーザが連動警報の停止条件を設定できるので、火災警報器１０の設置環境等に応じた連動警報の停止動作が実現できる。
なお、連動警報の停止条件設定スイッチ１３は、本実施の形態の例に限定されず、警報停止スイッチが操作されたときに連動警報を停止するか否かの設定、及び警報停止信号を受信したときに連動警報を停止するか否かの設定、のいずれか一つのみを設定できるものであってもよい。
【００５８】
なお、本実施の形態の図７、図８では、警報停止スイッチオンにより連動警報を停止する設定がなされている場合には（パターン１、２）、警報停止スイッチオンにより火元警報を停止するが、パターン３、４の場合には警報停止スイッチがオンしても火元警報を停止しない例を説明した。すなわち、火元警報を出力中に警報停止スイッチがオンしたときに火元警報を停止するか否かは、連動警報の停止条件設定に依存するものとして説明した。しかし、連動警報の停止条件の設定にかかわらず、警報停止スイッチがオンしたときには火元警報を停止することとしてもよい。
【００５９】
また、本実施の形態では、警報停止アドレス記憶部１６にいずれかの機器のアドレスが記憶されているか否かによって連動警報の出力／停止を切り替えることとして説明したが、アドレスのほか、フラグによりこれらの動作を実現してもよく、同様の効果を得ることができる。
また、本実施の形態では、火災警報器１０は火災を検知すると、警報システム１００内の他の機器に対して連動制御信号を送信し、その後、火災を検知しなくなったときに、警報システム１００内の他の機器に対して復旧信号を送信する場合を例に説明したが、火災警報器１０は火災を検知すると、警報システム１００内の他の機器に対して連動制御信号を送信し続け、その後、火災を検知しなくなったときに、警報システム１００内の他の機器に対する連動制御信号の送信を停止する構成とすることもできる。つまり、「復旧信号」とは連動制御信号の送信の停止を含むものである。このとき、他の機器は連動制御信号を受信した状態から、連動制御信号の受信しなくなったときに、復旧信号を受信したと判断することができる。
【００６０】
なお、上記説明では、電池で駆動されて無線通信を行う火災警報器を備える警報システムに本発明を適用した場合を例に説明したが、火災警報器の電源の供給方法や通信方式を限定するものではない。また、熱式の火災検出回路を有する火災警報器を例に説明したが、煙式の火災検出回路を有する火災警報器や、ガス漏れなどその他の監視領域の異常を検出する警報器に本発明を適用することもできる。
【符号の説明】
【００６１】
１  制御回路、２  電池、３  電源回路、４  電池電圧検出回路、５  送受信回路、６  アンテナ、７  火災検出回路、８  警報音制御回路、９  表示灯回路、１０  火災警報器、１０ａ  親機、１０ｂ、１０ｃ  子機、１１  記憶素子、１２  警報停止スイッチ、１３  連動警報の停止条件設定スイッチ、１４  連動警報の停止条件、１５  火元アドレス記憶部、１６  警報停止アドレス記憶部、５０  移報アダプタ、５１  制御回路、５２  電池、５３  電源回路、５４  電池電圧検出回路、５５  送受信回路、５６  アンテナ、５８  警報音制御回路、５９  表示灯回路、６２  警報停止スイッチ、６３  連動警報の停止条件設定スイッチ、７０  移報出力部、８０  フラッシュライト、８１  制御回路、８２  電池、８３  電源回路、８４  電池電圧検出回路、８５  送受信回路、８６  アンテナ、８９  表示灯回路、９２  警報停止スイッチ、９３  連動警報の停止条件設定スイッチ、１００  警報システム、２００  外部機器。
【図１】
0005478317.tif 000002
【図２】
0005478317.tif 000003
【図３】
0005478317.tif 000004
【図４】
0005478317.tif 000005
【図５】
0005478317.tif 000006
【図６】
0005478317.tif 000007
【図７】
0005478317.tif 000008
【図８】
0005478317.tif 000009